(57)【要約】【課題】投写レンズユニットの冷却を円滑かつ効果的に行い得る投写型表示装置を提供する。【解決手段】プロジェクタは、映像信号に基づいて光を変調する光学エンジン２０と、樹脂製のレンズを含むとともに光学エンジン２０により変調された光を投写する投写レンズユニット３０とを備える。本体キャビネット１０には、投写レンズユニット３０からの光が通る投写口１２１が配される。本体キャビネット１０の投写口１２１の下方に、吸気口１１１が形成される。さらに、吸気口１１１から空気を取り込むとともに取り込んだ空気を投写レンズユニット３０に沿って流すための排気通路ＥＷと第１排気ファン８０１を有する。【選択図】図５
2011154135.tif 000002
【特許請求の範囲】
【請求項１】
投写型表示装置において、
映像信号に基づいて光を変調する光変調部と、
樹脂製のレンズを含むとともに前記光変調部により変調された光を投写する投写レンズユニットと、
本体キャビネットに形成され、前記投写レンズユニットからの光が通る投写口と、
前記本体キャビネットの前記投写口の周囲に形成された吸気口と、
前記吸気口から空気を取り込むとともに取り込んだ空気を前記投写レンズユニットに沿って流す通風部と、
を有することを特徴とする投写型表示装置。
【請求項２】
請求項１に記載の投写型表示装置において、
前記本体キャビネットに配されるとともに前記投写レンズユニットが装着されるホルダを備え、
前記ホルダには、前記吸気口から取り込まれた空気を前記前記投写レンズユニットの周囲に分散して導くための開口が形成されている、
ことを特徴とする投写型表示装置。
【請求項３】
請求項２に記載の投写型表示装置において、
前記ホルダは、金属製材料により形成されている、
ことを特徴とする投写型表示装置。
【請求項４】
請求項１ないし３の何れか一項に記載の投写型表示装置において、
前記吸気口は前記投写口の下方に配置されている、
ことを特徴とする投写型表示装置。
【請求項５】
請求項１ないし４の何れか一項に記載の投写型表示装置において、
前記本体キャビネットの内側に、前記吸気口を覆う吸気口カバーが配され、前記吸気口カバーに、前記吸気口から取り込まれた空気を通すための通気孔が形成されている、
ことを特徴とする投写型表示装置。
【請求項６】
請求項５に記載の投写型表示装置において、
前記吸気口カバーに、内部を通る配線が前記通気孔および前記吸気口から見えないようにするための隠し部材が配されている、
ことを特徴とする投写型表示装置。
【発明の詳細な説明】
【技術分野】
【０００１】
本発明は、光変調素子によって変調された光を被投写面に拡大投写する投写型表示装置に関する。
【背景技術】
【０００２】
投写型表示装置（以下、「プロジェクタ」という）では、液晶パネルなどの光変調素子よって変調された光が、投写レンズユニットによって被投写面に投写される。かかるプロジェクタでは、電源ユニットや光源において発熱が生じる。このため、プロジェクタでは、内部で発生した熱を外部に放出するための構成が用いられる。
【０００３】
この場合、高温の排気が投写光に掛かると、投写画像に揺らぎが生じる。このため、排熱においては、排気が投写画像に掛からないように、排気口を配置または構成する必要がある（特許文献１）。
【先行技術文献】
【特許文献】
【０００４】
【特許文献１】特開２００５−１５６７４８号公報
【発明の概要】
【発明が解決しようとする課題】
【０００５】
従来、投写レンズユニットには、主として、ガラスレンズが含まれていた。このため、投写レンズユニットでは、熱による特性劣化がさほど問題とならなかった。
【０００６】
しかし、最近では、コストの低減のために、投写レンズユニットを構成するレンズに樹脂製レンズが用いられつつある。この場合、熱膨張等、投写レンズユニットの特性劣化が問題となる。
【０００７】
特に最近では、投写画像の高輝度化のニーズが高まり、これに伴い、光源の高輝度化が進んでいる。かかる光源の高輝度化により、樹脂製レンズの特性劣化は一層顕著となる。このため、樹脂製レンズを用いる場合には、投写レンズユニットを冷却するための構成が必要となる。
【０００８】
本発明は、かかる課題に鑑みてなされたものであり、投写レンズユニットの冷却を円滑かつ効果的に行い得る投写型表示装置を提供することを目的とする。
【課題を解決するための手段】
【０００９】
本発明の投写型表示装置は、映像信号に基づいて光を変調する光変調部と、樹脂製のレンズを含むとともに前記光変調部により変調された光を投写する投写レンズユニットとを備える。本体キャビネットには、前記投写レンズユニットからの光が通る投写口が配される。前記本体キャビネットの前記投写口の周囲に、吸気口が形成される。さらに、前記吸気口から空気を取り込むとともに取り込んだ空気を前記投写レンズユニットに沿って流す通風部を有する。
【００１０】
本発明の投写型表示装置によれば、吸気口から取り込まれた空気が投写レンズユニットに沿って流れるため、この空気の流れによって、投写レンズユニットを冷却することができる。よって、投写レンズユニットに樹脂製のレンズが含まれていても、投写レンズユニットの特性劣化を抑制することができる。
【００１１】
本発明の投写型表示装置は、前記本体キャビネットに配されるとともに前記投写レンズユニットが装着されるホルダを備える構成とされ得る。ここで、前記ホルダには、前記吸気口から取り込まれた空気を前記前記投写レンズユニットの周囲に分散して導くための開口が形成されている。
【００１２】
この構成によれば、開口を通して空気が投写レンズユニットの周囲に分散して導かれるため、投写レンズユニット全体を効果的に冷却することができる。
【００１３】
このとき、前記ホルダは、金属製材料により形成されるのが望ましい。こうすると、ホルダも取り込まれた空気により冷却され易いため、冷却されたホルダを通じて、さらに、投写レンズユニットを効果的に冷却することができる。
【００１４】
なお、本発明の投写型表示装置において、前記吸気口は、前記投写口の下方に配置するのが望ましい。こうすると、取り込まれた空気中に埃などが混入していても、この埃は、投写レンズユニットには溜まりにくくなる。
【００１５】
本発明の投写型表示装置には、前記本体キャビネットの内側に、前記吸気口を覆う吸気口カバーが配され得る。ここで、この吸気口カバーには、前記吸気口から取り込まれた空気を通すための通気孔が形成される。
【００１６】
この構成によれば、吸気口が、吸気口カバーで覆われているため、吸気口から内部が見え難くなる。また、吸気口から空気とともに取り込まれた塵や埃などが通気孔によって除かれ得るため、塵や埃の侵入を抑制することができる。
【００１７】
この構成においては、前記吸気口カバーに、内部を通る配線が前記通気孔および前記吸気口から見えないようにするための隠し部材を配する構成とされ得る。こうすると、外部から吸気口を通じてリード線が見えなくなるため、見栄えを良くすることができる。
【発明の効果】
【００１８】
以上のとおり、本発明によれば、投写レンズユニットの冷却を円滑かつ効果的に行い得る投写型表示装置を提供することができる。
【００１９】
本発明の効果ないし意義は、以下に示す実施の形態の説明により更に明らかとなろう。ただし、以下の実施の形態は、あくまでも、本発明を実施化する際の一つの例示であって、本発明は、以下の実施の形態に記載されたものに何ら制限されるものではない。
【図面の簡単な説明】
【００２０】
【図１】実施の形態に係るプロジェクタの構成を示す斜視図である。
【図２】実施の形態に係る光学エンジンおよび投写レンズユニットの構成を示す図である。
【図３】実施の形態に係る上部キャビネット、制御回路ユニットおよび投写レンズユニットを取り外した状態を示すプロジェクタの斜視図である。
【図４】実施の形態に係るレンズホルダおよび吸気口カバーの構成を説明するための図である。
【図５】実施の形態に係る吸気口から本体キャビネットに取り込まれた外気の流れについて説明するための図である。
【発明を実施するための形態】
【００２１】
以下、図面を参照して、本発明の実施の形態について説明する。
【００２２】
図１は、プロジェクタの構成を示す斜視図である。図１（ａ）は、プロジェクタの外観斜視図であり、図１（ｂ）は、上部キャビネット１２および制御回路ユニットを取り外した状態のプロジェクタの斜視図である。
【００２３】
図１を参照して、プロジェクタは、本体キャビネット１０を備えている。本体キャビネット１０は、下部キャビネット１１と、下部キャビネット１１に上方から被せられる上部キャビネット１２により構成されている。
【００２４】
下部キャビネット１１は、上面が開放された底の浅い箱状に形成されている。下部キャビネット１１は、その前面１１Ｆが左右の側面１１Ｌ、１１Ｒおよび後面１１Ｂよりも高くなるように形成されている。左右の側面１１Ｌ、１１Ｒは、前端部分で緩やかに高くなり、前面１１Ｆにつながっている。
【００２５】
下部キャビネット１１の前面１１Ｆには、吸気口１１１が形成されている。吸気口１１１は、本体キャビネット１０において、左右方向における投写レンズユニット３０の投写口の正面であって、投写レンズユニット３０よりも低い位置に形成されている。また、下部キャビネット１１の前面１１Ｆには、出音口１１２が形成されている。出音口１１２からは、投写時に映像に対応する音声が出力される。
【００２６】
上部キャビネット１２は下面が開放された箱状に形成されている。上部キャビネット１２の前部は、左右全体に亘って緩やかに上方に反っており、その前面１２Ｆが、わずかに斜め上方を向いている。上部キャビネット１２の前面１２Ｆは、横方向から見て、緩やかに湾曲しているとともに、下部キャビネット１１の前面１１Ｆよりも斜め上方に突出している。
【００２７】
上部キャビネット１２の前面１２Ｆには、中央よりも左側面側に寄った位置に、四角形状の投写口１２１が形成されている。投写口１２１の奥には、投写レンズユニット３０の前端部分のレンズ３１１が収容される収容部１２２が形成されている。
【００２８】
上部キャビネット１２の上面１２Ｕには、インジケータ部１２３と操作部１２４が設けられている。インジケータ部１２３には、複数のＬＥＤが配されている。ユーザは、各ＬＥＤの点灯状態によって、プロジェクタが運転中であるかスタンバイ状態であるかを確認することができる。また、各種のエラー状態を確認することができる。操作部１２４には、複数の操作キーが配されている。
【００２９】
上部キャビネット１２の左側面１２Ｌには、ＡＶ端子部１２５が設けられており、各種ＡＶ端子が外部に臨んでいる。ＡＶ端子部１２５を通じて、プロジェクタにＡＶ（Audio Visual）信号が入出力される。
【００３０】
図１（ｂ）に示すように、下部キャビネット１１には、光学エンジン２０、投写レンズユニット３０、メイン電源ユニット４０、サブ電源ユニット５０、冷却ユニット６０、スピーカー７０および排気ファンユニット８０が配されている。なお、下部キャビネット１１には、この他、制御回路ユニットが配されているが、図１（ｂ）では、図示省略されている。
【００３１】
光学エンジン２０は、光源ランプを有する光源部２１と、光源部２１からの光を変調して映像光を生成する光学系２２とを備えており、下部キャビネット１１の中央よりやや後ろ側に配されている。投写レンズユニット３０は、光学エンジン２０の光学系２２の前方であって、下部キャビネット１１の中央よりやや左側面寄りに配されている。投写レンズ
ユニット３０は、レンズホルダ９０を介して下部キャビネット１１に固定されている。
【００３２】
図２は、光学エンジン２０および投写レンズユニット３０の構成を示す図である。
【００３３】
光源ランプ２０１から出射された白色光は、コンデンサレンズ２０２、フライアイインテグレータ２０３、ＰＢＳアレイ２０４を通過する。フライアイインテグレータ２０３は、液晶パネル（後述する）に照射される各色光の光量分布を均一化させ、ＰＢＳアレイ２０４は、ダイクロイックミラー２０６に向かう光の偏光方向を一方向に揃える。
【００３４】
ＰＢＳアレイ２０４を通過した光は、コンデンサレンズ２０５を通過してダイクロイックミラー２０６に入射する。
【００３５】
ダイクロイックミラー２０６は、入射した光のうち、青色波長帯の光（以下、「Ｂ光」という）のみを反射し、緑色波長帯の光（以下、「Ｇ光」という）と赤色波長帯の光（以下、「Ｒ光」という）を透過する。
【００３６】
ダイクロイックミラー２０６により反射されたＢ光は、コンデンサレンズ２０５、２０７によるレンズ作用と反射ミラー２０８による反射によって、適正な照射状態にて青色用の液晶パネル２０９に照射される。液晶パネル２０９は、青色用の映像信号に応じて駆動され、その駆動状態に応じてＢ光を変調する。なお、液晶パネル２０９の入射側には１枚の入射側偏光板２１０が配されており、入射側偏光板２１０を介して液晶パネル２０９にＢ光が照射される。また、液晶パネル２０９の出射側には２枚の出射側偏光板２１１が配されており、液晶パネル２０９から出射されたＢ光が出射側偏光板２１１に入射する。
【００３７】
ダイクロイックミラー２０６を透過したＧ光およびＲ光は、ダイクロイックミラー２１２に入射する。ダイクロイックミラー２１２は、Ｇ光を反射するとともにＲ光を透過する。
【００３８】
ダイクロイックミラー２１２により反射されたＧ光は、コンデンサレンズ２０５、２１３によるレンズ作用によって、適正な照射状態にて緑色用の液晶パネル２１４に照射される。液晶パネル２１４は、緑色用の映像信号に応じて駆動され、その駆動状態に応じてＧ光を変調する。なお、液晶パネル２１４の入射側には１枚の入射側偏光板２１５が配されており、入射側偏光板２１５を介して液晶パネル２１４にＧ光が照射される。また、液晶パネル２１４の出射側には２枚の出射側偏光板２１６が配されており、液晶パネル２１４から出射されたＧ光が出射側偏光板２１６に入射する。
【００３９】
ダイクロイックミラー２１２を透過したＲ光は、コンデンサレンズ２０５、２１７およびリレーレンズ２１８、２１９によるレンズ作用と反射ミラー２２０、２２１による反射によって、適正な照射状態にて赤色用の液晶パネル２２２に照射される。液晶パネル２２２は、赤色用の映像信号に応じて駆動され、その駆動状態に応じてＲ光を変調する。なお、液晶パネル２２２の入射側には１枚の入射側偏光板２２３が配されており、入射側偏光板２２３を介して液晶パネル２２２にＲ光が照射される。また、液晶パネル２２２の出射側には１枚の出射側偏光板２２４が配されており、液晶パネル２２２から出射されたＲ光が出射側偏光板２２４に入射する。
【００４０】
液晶パネル２０９、２１４、２２２によって変調されたＢ光、Ｇ光、Ｒ光は、出射側偏光板２１１、２１６、２２４を通過してダイクロイックプリズム２２５に入射する。ダイクロイックプリズム２２５は、Ｂ光、Ｇ光およびＲ光のうち、Ｂ光とＲ光を反射するとともにＧ光を透過し、これにより、Ｂ光、Ｇ光およびＲ光を色合成する。こうして、色合成された映像光が、ダイクロイックプリズム２２５から投写レンズユニット３０に向けて出
射される。
【００４１】
投写レンズユニット３０は、入射した映像光を拡大してスクリーンに投写する。投写レンズユニット３０は、短焦点タイプのレンズであり、前端部に大きなレンズ３１１を有する。映像光は、レンズ３１１からやや斜め上方に向けて出射される。映像光は、レンズ３１１からやや斜め上方に向けて出射される。投写レンズユニット３０は、レンズ３１１の他、複数のレンズを備えている。これらレンズの中には、プラスチックレンズが含まれている。なお、レンズ３１１は、前方から見て、下部が切りかかれた円弧形状を有している。
【００４２】
また、投写レンズユニット３０には、フォーカスリング３１２が設けられている。フォーカスリング３１２には、フォーカスレバー３１３が形成されている。フォーカスレバー３１３が操作されると、フォーカスリング３１２が回動し、これに伴って、投写レンズユニット３０内部のフォーカスレンズ（図示せず）が移動する。こうして、フォーカスレバー３１３が操作されることにより、投写画像のフォーカスが調整される。
【００４３】
さらに、投写レンズユニット３０には、４つの取付部３１４が設けられている。これら取付部３１４には、レンズホルダ９０にネジ止めするためのネジ孔３１４ａが形成されている。また、前側の一方の取付部３１４と、これと対角位置にある後側の一方の取付部３１４には、レンズホルダ９０の位置決用の突起（後述する）が挿入される位置決め孔３１４ｂが形成されている。
【００４４】
図１に戻り、投写レンズユニット３０の右方には、メイン電源ユニット４０が配されており、左方には、サブ電源ユニット５０が配されている。メイン電源ユニット４０は、ハウジング４０１内に電源回路を備えており、プロジェクタの各電装部品に電源の供給を行う。ハウジング４０１には、投写レンズユニット３０側の側面に、多数の孔からなる通気口４０２が形成されている。また、反対側の側面にも図示しない通気口が形成されている。
【００４５】
サブ電源ユニット５０は、ノイズフィルタや平滑回路などを備えており、入力された商用交流電源からノイズを除去してメイン電源ユニット４０に供給する。
【００４６】
光学エンジン２０の後方には、冷却ユニット６０が配されている。冷却ユニット６０は吸気ファン（図示せず）を備えている。下部キャビネット１１の後端部には、冷却ユニット６０の吸気口部６０１が配されている。冷却ユニット６０は、吸気口部６０１により本体キャビネット１０の後方から取り込んだ外気を、液晶パネル２０９、２１４、２２２など、光学エンジン２０の主要な発熱部品に供給して、これら発熱部品を冷却する。
【００４７】
メイン電源ユニット４０の前方には、スピーカー７０が配されている。スピーカー７０から出力された音声は、出音口１１２より外部に放出される。
【００４８】
メイン電源ユニット４０の右方であって、下部キャビネット１１の右側端部には、排気ファンユニット８０が配されている。排気ファンユニット８０は、第１排気ファン８０１と、第２排気ファン８０２と、これらの排気ファン８０１、８０２を下部キャビネット１１に固定するためのファンホルダ８０３とにより構成されている。
【００４９】
第１排気ファン８０１は、その吸気面が、本体キャビネット１０の左側面よりもやや斜め後方に向いている。第１排気ファン８０１は、光学エンジン２０内の発熱部品（液晶パネル２０９、２１４、２２２や光源ランプ２０１）を冷却することにより温まった空気を外部に排出する。また、後述するように、吸気口１１１から取り込まれ、投写レンズユニ
ット３０を冷却することにより温まった空気を外部に排出する。
【００５０】
第２排気ファン８０２は、その吸気面が、メイン電源ユニット４０に向いている。第２排気ファン８０２は、メイン電源ユニット４０を冷却することにより温まった空気を外部に排出する。
【００５１】
図３は、上部キャビネット１２、制御回路ユニットおよび投写レンズユニット３０を取り外した状態を示すプロジェクタの斜視図である。図３（ａ）は、前方から見た斜視図であり、図３（ｂ）は、後方から見た斜視図である。
【００５２】
図３に示すように、下部キャビネット１１には、内部から吸気口１１１を覆う吸気口カバー１３が装着されている。また、図３（ｂ）の点線にて示すように、光学エンジン２０とメイン電源ユニット４０との間には、これら２つの間隔を広く開けることにより、レンズホルダ９０の後端部分から第１排気ファン８０１に向けて排気通路ＥＷが形成されている。
【００５３】
図４は、レンズホルダ９０および吸気口カバー１３の構成を説明するための図である。図４（ａ）は、前方から見た要部の斜視図であり、図４（ｂ）は、後方から見た要部の斜視図である。
【００５４】
図４を参照して、レンズホルダ９０は、ホルダ本体９０１を備えている。ホルダ本体９０１は、金属材料、たとえば、マグネシウム材料からなり、投写レンズユニット３０の底面に沿うように、凹湾曲形状を有している。レンズホルダ９０は、下部キャビネット１１の底面との間に隙間が空くようにして、下部キャビネット１１に取り付けられている。
【００５５】
ホルダ本体９０１の底面には、２つの開口９０２、９０３が形成されている。また、本体ホルダ本体９０１の左右両端側には、４つの取付ボス９０４が形成されている。また、前方左側の取付ボス９０４と後方右側の取付ボス９０４の後ろ側には、それぞれ、位置決め用突起９０５が形成されている。
【００５６】
ホルダ本体９０１の後端には、投写レンズユニット３０の後端部（入射面側）を固定するための枠部材９０６が取り付けられている。
【００５７】
図１（ｂ）のように、投写レンズユニット３０がレンズホルダ９０に装着されると、投写レンズユニット３０の４つのネジ孔３１４ａが対応する取付ボス９０４に整合する。また、２つの位置決め孔３１４ｂに、位置決め用突起９０５が挿入される。こうして、投写レンズユニット３０は、取付部３１４と取付ボス９０４との間のネジ止めによってレンズホルダ９０に固定される。また、投写レンズユニット３０の後端部が、枠部材９０６によって固定される。
【００５８】
吸気口カバー１３は、投写レンズユニット３０の前端部の底部を受ける受け部材１３１を備えている。受け部材１３１には、両側に、投写レンズユニット３０の底部側面を支える板部材１３２が立設されている。
【００５９】
受け部材１３１の下面後端には、吸気口１１１と向き合う覆い部材１３３が形成されている。覆い部材１３３には、多数の通気孔１３３ａが形成されている。覆い部材１３３の通気孔１３３ａより下の位置には、サブ電源ユニット５０からメイン電源ユニット４０へ電源を供給するリード線５０１を保持するための保持部が設けられている。保持部は、２つのフック部材１３４、１３５と、対向する２枚の板でリード線を挟み込む２つの挟持部材１３６、１３７とにより構成されている。
【００６０】
このように、吸気口１１１が、吸気口カバー１３で覆われているため、吸気口１１１から内部が見え難くなる。しかも、通気孔１３３ａより低い位置でリード線５０１が保持されているので、外部から吸気口１１１を通じてリード線５０１が見えず、見栄えが良い。
【００６１】
なお、投写レンズユニット３０がレンズホルダ９０に固定された状態では、投写レンズユニット３０とホルダ本体９０１との間に所定の隙間が空いている。通気孔１３３ａを通った空気の一部は、この隙間と通って、投写レンズユニット３０を冷却する。また、通気孔１３３ａを通った空気の一部は、ホルダ９０と下部キャビネット１１の底面との間の隙間を通り、開口９０２、９０３から投写レンズユニット３０に導かれる。投写レンズユニット３０は、こうして開口９０２、９０３を通った空気によっても冷却される。
【００６２】
図５は、吸気口１１１から本体キャビネット１０に取り込まれた外気の流れについて説明するための図である。この図では、空気の流れがわかりやすいように、投写レンズユニット３０が一点鎖線で表わされている。
【００６３】
排気ファンユニット８０が駆動されると、吸気口１１１（図１（ａ）参照）および通気孔１３３ａを通じて本体キャビネット１０内に外気が取り込まれる。このとき、第２排気ファン８０２の駆動によって、吸気口１１１から取り込まれた外気の一部は、投写レンズユニット３０の前部を冷却した後に通気口４０２からハウジング４０１内に流れ込み、メイン電源ユニット４０の電源回路をさらに冷却して外部に排出される（図５の白矢印）。
【００６４】
一方、第１排気ファン８０１の駆動によって、投写レンズユニット３０の後端部分の空気が、排気通路ＥＷを通じて第１排気ファン８０１に吸い込まれる。これにより、本体キャビネット１０内には、図５に黒矢印で示す空気の流れが生じる。すなわち、吸気口１１１から取り込まれた外気が、投写レンズユニット３０の後端部側へと流れ、さらに、排気通路ＥＷを通って外部に排出される。この空気の流れによって、投写レンズユニット３０は前後に亘って全体的に冷却される。
【００６５】
このとき、レンズホルダ９０には、ホルダ本体９０１底面に開口部９０２、９０３が形成さているので、これら開口部９０２、９０３を通じて投写レンズユニット３０の底面側にも空気が供給される。よって、投写レンズユニット３０が効果的に冷却される。
【００６６】
また、ホルダ本体９０１は、金属製であるため、ホルダ本体９０１自身も冷却され易い。このため、冷却されたホルダ本体９０１を通じて、さらに、投写レンズユニット３０が効果的に冷却される。
【００６７】
このように、本実施の形態では、吸気口１１１から取り込まれた外気によって、投写レンズユニット３０が良好に冷却される。これにより、投写レンズユニット３０に、プラスチックレンズが含まれていても、プラスチックレンズの熱膨張が抑制される。よって、投写レンズユニット３０の性能劣化を防止することができる。
【００６８】
また、本実施の形態によれば、吸気口１１１が、投写レンズユニット３０よりも低い位置に形成されている。このため、取り込まれた空気中に埃など混入していても、埃は下部キャビネット１１の底面に付着し、投写レンズユニット３０には溜まりにくい。
【００６９】
以上、本実施の形態について説明したが、本発明は上記実施の形態に何ら制限されるものではなく、また、本発明の実施形態も、上記実施の形態に以外に、種々の変更が可能である。
【００７０】
たとえば、上記実施の形態では、吸気口１１１を投写口１２１の下に配置したが、投写口１２１の左右等、投写口１２１の周囲の他の位置に吸気口１１１を配置してもよい。ただし、見栄えや、埃の影響を考慮すると、上記実施の形態のように、投写口１２１の下に吸気口１１１を配置するのが望ましい。
【００７１】
また、上記実施の形態では、ホルダ本体９０１がマグネシウム材料により形成されたが、アルミニウム等、熱伝導性の良い他の金属材料によりホルダ本体９０１が形成されてもよい。
【００７２】
さらに、上記実施の形態では、短焦点タイプの投写レンズユニット３０を用いたプロジェクタが開示されたが、本発明は、他のタイプの投写レンズユニット３０を用いたプロジェクタにも用いることができる。
【００７３】
なお、図４に示す開口９０２、９０３は、投写レンズユニット３０のうち、樹脂製レンズの配置位置等、特に冷やしたい部位に対応する位置に配置すると良い。
【００７４】
この他、本発明の実施の形態は、特許請求の範囲に示された技術的思想の範囲内において、適宜、種々の変更が可能である。
【符号の説明】
【００７５】
１０  本体キャビネット
１１  下部キャビネット（本体キャビネット）
１２  上部キャビネット（本体キャビネット）
１３  吸気口カバー
２０  光学エンジン（光変調部）
３０  投写レンズユニット
８０  排気ファンユニット８０（通風部）
９０  レンズホルダ（ホルダ）
１１１  吸気口
１２１  投写口
１３３ａ  通気孔
１３４、１３５  フック部材（隠し部材）
１３６、１３７  挟持部材（隠し部材）
８０１  第１排気ファン（通風部）
ＥＷ  排気通路（通風部）
【図１】
2011154135.tif 000003
【図２】
2011154135.tif 000004
【図３】
2011154135.tif 000005
【図４】
2011154135.tif 000006
【図５】
2011154135.tif 000007